(57)【要約】【課題】コネクタ装置間における信号の高速伝送を実現するとともに、コネクタ装置をさらに小型化することが求められている。【解決手段】プラグコネクタ１００は、側壁１０３および１０４を有するハウジング１０１と、側壁１０４に沿って整列する第１列の複数のシグナルコンタクト１１６ａ、１１６ｃと、側壁１０３に沿って整列する第２列の複数のシグナルコンタクト１１６ｂ、１１６ｄと、第１列のシグナルコンタクト１１６ａ、１１６ｃおよび第２列のシグナルコンタクト１１６ｂ、１１６ｄの双方に対向して、第１列のシグナルコンタクト１１６ａ、１１６ｃと第２列のシグナルコンタクト１１６ｂ、１１６ｄとを互いに遮蔽する板状のグランドコンタクト１１５とを備える。【選択図】図１
2015038831.tif 000002
【特許請求の範囲】
【請求項１】
第１の壁および第２の壁を有するハウジングと、
前記第１の壁に沿って整列する第１列の複数のシグナルコンタクトと、
前記第２の壁に沿って整列する第２列の複数のシグナルコンタクトと、
前記第１列のシグナルコンタクトおよび前記第２列のシグナルコンタクトの双方に対向して、前記第１列のシグナルコンタクトと前記第２列のシグナルコンタクトとの間に配置される板状のグランドコンタクトとを備え、
前記第１列のシグナルコンタクトの各々は、前記グランドコンタクトに対向する側に、接続相手コネクタのシグナルコンタクトに導通接触する接点を有するとともに、他方の側で前記第１の壁に固定して支持され、
前記第２列のシグナルコンタクトの各々は、前記グランドコンタクトに対向する側に、接続相手コネクタのシグナルコンタクトに導通接触する接点を有するとともに、他方の側で前記第２の壁に固定して支持される、プラグコネクタ。
【請求項２】
前記シグナルコンタクトは、前記接点を有する直線状の主部を備え、該主部が前記第１の壁または前記第２の壁に固定して支持され、
前記グランドコンタクトは、平板である、請求項１に記載のプラグコネクタ。
【請求項３】
前記ハウジングは、前記第１の壁および前記第２の壁の双方に対して交差する方向に形成される横壁をさらに備え、該横壁に、該横壁の幅方向の中心線に対し非対称の形状を有して該横壁の高さ方向へ延長される突条が形成される、請求項１または２に記載のプラグコネクタ。
【請求項４】
前記ハウジングは、前記第１の壁および前記第２の壁を各々に含む複数の嵌合部と、互いに隣り合う前記嵌合部の間に形成される隔壁と、を備え、
該複数の嵌合部の各々に、前記第１列のシグナルコンタクト、前記第２列のシグナルコンタクトおよび前記グランドコンタクトが設けられ、
前記隔壁に、前記隔壁を貫通する開口が形成される、請求項１〜３のいずれか１項に記載のプラグコネクタ。
【請求項５】
第１の内壁および第２の内壁、該第１の内壁に平行に延びる第１の外壁、並びに該第２の内壁に平行に延びる第２の外壁を有するハウジングと、
前記第１の外壁に対向する側で前記第１の内壁に沿って整列する第１列の複数のシグナルコンタクトと、
前記第２の外壁に対向する側で前記第２の内壁に沿って整列する第２列の複数のシグナルコンタクトと、
前記第１の内壁と前記第２の内壁との間に配置され、接続相手コネクタのグランドコンタクトに導通接触するグランドコンタクトとを備え、
前記第１列のシグナルコンタクトの各々は、前記第１の内壁に固定して支持される基部と、該基部から延長され、前記第１の外壁に対向する側に、接続相手コネクタのシグナルコンタクトに導通接触する接点を有するばね腕部とを備え、
前記第２列のシグナルコンタクトの各々は、前記第２の内壁に固定して支持される基部と、該基部から延長され、前記第２の外壁に対向する側に、接続相手コネクタのシグナルコンタクトに導通接触する接点を有するばね腕部とを備える、ジャックコネクタ。
【請求項６】
前記グランドコンタクトは、前記ハウジングに固定して支持される基部と、該基部に沿った方向へ互いに離隔して該基部から延長され、前記接続相手コネクタのグランドコンタクトに接触する接点の各々を個別に有する複数のばね腕部とを備え、
該複数のばね腕部は、該基部から前記第１の内壁に近接する側に曲げて延長され、前記第２の内壁に対向する側で前記接続相手コネクタのグランドコンタクトに導通接触する第１のばね腕部と、該基部から前記第２の内壁に近接する側に曲げて延長され、前記第１の内壁に対向する側で接続相手コネクタのグランドコンタクトに導通接触する第２のばね腕部とを含む、請求項５に記載のジャックコネクタ。
【請求項７】
前記ハウジングは、前記第１の外壁および前記第２の外壁の双方に直交する横壁をさらに備え、該横壁に、該横壁の幅方向中心線に対し非対称の形状を有して該横壁の高さ方向へ延長される溝が形成される、請求項５または６に記載のジャックコネクタ。
【請求項８】
前記ハウジングは、前記第１の内壁および前記第２の内壁を各々に含む複数の嵌合部と、互いに隣り合う前記嵌合部の間に形成される底壁とをさらに備え、
該複数の嵌合部の各々に、前記第１列のシグナルコンタクト、前記第２列のシグナルコンタクトおよび前記グランドコンタクトが設けられ、
該底壁に、該底壁を貫通する開口が形成される、請求項５〜７のいずれか１項に記載のジャックコネクタ。
【請求項９】
請求項１〜４のいずれか１項に記載のプラグコネクタと、請求項５〜８のいずれか１項に記載のジャックコネクタとを備えるコネクタ装置。
【発明の詳細な説明】
【技術分野】
【０００１】
本発明は、プラグコネクタ、ジャックコネクタ、ならびに、コネクタ装置に関する。
【背景技術】
【０００２】
ジャックコネクタと、ジャックコネクタに接続されるプラグコネクタとを備えた、プリント基板に装着される種々のコネクタ装置が知られている（例えば、特許文献１、２、または３）。
【先行技術文献】
【特許文献】
【０００３】
【特許文献１】実公昭４９−６５４３号公報
【特許文献２】特開平５−１３５８２号公報
【特許文献３】特開平８−２４１７６号公報
【発明の概要】
【発明が解決しようとする課題】
【０００４】
上記のようなコネクタ装置の分野においては、コネクタ装置間における信号の高速伝送を実現するとともに、コネクタ装置をさらに小型化することが求められている。
【課題を解決するための手段】
【０００５】
本発明の一態様において、プラグコネクタは、第１の壁および第２の壁を有するハウジングと、第１の壁に沿って整列する第１列の複数のシグナルコンタクトと、第２の壁に沿って整列する第２列の複数のシグナルコンタクトと、第１列のシグナルコンタクトおよび第２列のシグナルコンタクトの双方に対向して、第１列のシグナルコンタクトと第２列のシグナルコンタクトとの間に配置される板状のグランドコンタクトとを備える。
【０００６】
ここで、第１列のシグナルコンタクトの各々は、グランドコンタクトに対向する側に、接続相手コネクタのシグナルコンタクトに導通接触する接点を有するとともに、他方の側で第１の壁に固定して支持される。また、第２列のシグナルコンタクトの各々は、グランドコンタクトに対向する側に、接続相手コネクタのシグナルコンタクトに導通接触する接点を有するとともに、他方の側で第２の壁に固定して支持される。
【０００７】
シグナルコンタクトは、接点を有する直線状の主部を備えてもよい。この主部は、第１の壁または第２の壁に固定して支持されてもよい。グランドコンタクトは、平板であってもよい。ハウジングは、第１の壁および第２の壁の双方に対して交差する方向に形成される横壁をさらに備えてもよい。この横壁に、該横壁の幅方向の中心線に対し非対称の形状を有して該横壁の高さ方向へ延長される突条が形成されてもよい。
【０００８】
ハウジングは、第１の壁および第２の壁を各々に含む複数の嵌合部と、互いに隣り合う嵌合部の間に形成される隔壁とを備えてもよい。複数の嵌合部の各々に、第１列のシグナルコンタクト、第２列のシグナルコンタクトおよびグランドコンタクトが設けられてもよい。隔壁に、隔壁を貫通する開口が形成されてもよい。
【０００９】
本発明の他の態様において、ジャックコネクタは、第１の内壁および第２の内壁、該第１の内壁に平行に延びる第１の外壁、並びに該第２の内壁に平行に延びる第２の外壁を有するハウジングと、第１の外壁に対向する側で第１の内壁に沿って整列する第１列の複数のシグナルコンタクトと、第２の外壁に対向する側で第２の内壁に沿って整列する第２列の複数のシグナルコンタクトと、第１の内壁と第２の内壁との間に配置され、接続相手コネクタのグランドコンタクトに導通接触するグランドコンタクトとを備える。
【００１０】
ここで、第１列のシグナルコンタクトの各々は、第１の内壁に固定して支持される基部と、該基部から延長され、第１の外壁に対向する側に、接続相手コネクタのシグナルコンタクトに導通接触する接点を有するばね腕部とを備える。また、第２列のシグナルコンタクトの各々は、第２の内壁に固定して支持される基部と、該基部から延長され、第２の外壁に対向する側に、接続相手コネクタのシグナルコンタクトに導通接触する接点を有するばね腕部とを備える。
【００１１】
グランドコンタクトは、ハウジングに固定して支持される基部と、該基部に沿った方向へ互いに離隔して該基部から延長され、接続相手コネクタのグランドコンタクトに接触する接点の各々を個別に有する複数のばね腕部とを備えてもよい。
【００１２】
この場合において、該複数のばね腕部は、該基部から第１の内壁に近接する側に曲げて延長され、第２の内壁に対向する側で接続相手コネクタのグランドコンタクトに導通接触する第１のばね腕部と、該基部から第２の内壁に近接する側に曲げて延長され、第１の内壁に対向する側で接続相手コネクタのグランドコンタクトに導通接触する第２のばね腕部とを含んでもよい。
【００１３】
ハウジングは、第１の外壁および第２の外壁の双方に直交する横壁をさらに備えてもよい。この横壁に、該横壁の幅方向中心線に対し非対称の形状を有して該横壁の高さ方向へ延長される溝が形成されてもよい。ハウジングは、第１の内壁および第２の内壁を各々に含む複数の嵌合部と、互いに隣り合う嵌合部の間に形成される底壁とをさらに備えてもよい。
【００１４】
この場合において、複数の嵌合部の各々に、第１列のシグナルコンタクト、第２列のシグナルコンタクトおよびグランドコンタクトが設けられてもよい。また、底壁に、該底壁を貫通する開口が形成されてもよい。本発明のさらに他の態様において、コネクタ装置は、上記のプラグコネクタと、上記のジャックコネクタとを備える。
【発明の効果】
【００１５】
本発明によれば、プラグコネクタのシグナルコンタクトは、グランドコンタクトに対向する側で、ジャックコネクタのシグナルコンタクトに片面接触する一方、接点の裏側において、第１の壁に固定される。このため、プラグコネクタのシグナルコンタクトは、接触の安定性を保証するために弾性変形する必要がないので、プラグコネクタのシグナルコンタクトを弾性変形させるための空間を、省略することができる。
【００１６】
これにより、ジャックコネクタのシグナルコンタクトとプラグコネクタのシグナルコンタクトとの間の安定的な導通接触を保証しつつ、ジャックコネクタおよびシグナルコンタクトを効果的に小型化することができる。
【００１７】
また、第１列のシグナルコンタクトと第２列のシグナルコンタクトとを、グランドコンタクトによって遮蔽することができるので、第１列のシグナルコンタクトと第２列のシグナルコンタクトとの間のクロストークを低減することができる。これにより、本発明に係るコネクタ装置を、高速伝送用の回路基板に適用することができる。
【図面の簡単な説明】
【００１８】
【図１】本発明の一実施形態に係るプラグコネクタの斜視図である。
【図２】図１に示すプラグコネクタの外観図であって、（ａ）はｚ軸プラス方向から見た上面図を、（ｂ）はｙ軸マイナス方向側の側面図を、（ｃ）はｙ軸プラス方向側の側面図を、（ｄ）はｘ軸プラス方向側の側面図を、（ｅ）はｘ軸マイナス方向側の側面図を、それぞれ示す。
【図３】図１に示すプラグコネクタの分解斜視図である。
【図４】図２（ａ）中の線ＩＶ−ＩＶで切断し、ｘ軸プラス方向側から見た断面図である。
【図５】図３に示すシグナルコンタクトの外観図であって、（ａ）は斜視図を、（ｂ）は（ａ）に示すシグナルコンタクトを（ａ）中の矢印ｂから見た図を、（ｃ）は（ｂ）に示すシグナルコンタクトを（ｂ）中の矢印ｃから見た図を、（ｄ）は（ｂ）に示すシグナルコンタクトを（ｂ）中の矢印ｄから見た図を、（ｅ）は（ｂ）に示すシグナルコンタクトを（ｂ）中の矢印ｅから見た図を、それぞれ示す。
【図６】本発明の一実施形態に係るジャックコネクタの斜視図である。
【図７】図６に示すジャックコネクタの外観図であって、（ａ）はｚ軸プラス方向側の上面図を、（ｂ）はｙ軸マイナス方向側の側面図を、（ｃ）はｙ軸プラス方向側の側面図を、（ｄ）はｘ軸プラス方向側の側面図を、（ｅ）はｘ軸マイナス方向側の側面図を、それぞれ示す。
【図８】図６に示すプラグコネクタの分解斜視図である。
【図９】図７中の線ＶＩＩＩ−ＶＩＩＩで切断し、ｘ軸プラス方向側から見た断面図である。
【図１０】図８に示すグランドコンタクトの外観図であって、（ａ）は図８に相当する方向から見た斜視図であり、（ｂ）はｘ軸プラス方向から見た図である。
【図１１】図８に示すシグナルコンタクトの外観図であって、（ａ）は斜視図を、（ｂ）は（ａ）に示すシグナルコンタクトを（ａ）中の矢印ｂから見た図を、（ｃ）は（ｂ）に示すシグナルコンタクトを（ｂ）中の矢印ｃから見た図を、（ｄ）は（ｂ）に示すシグナルコンタクトを（ｂ）中の矢印ｄから見た図を、（ｅ）は（ｂ）に示すシグナルコンタクトを（ｂ）中の矢印ｅから見た図を、それぞれ示す。
【図１２】本発明の一実施形態に係るコネクタ装置の断面図である。
【図１３】ジャックコネクタの、他の実施形態に係るグランドコンタクトを示す。
【発明を実施するための形態】
【００１９】
以下、本発明の実施の形態を図面に基づいて詳細に説明する。まず、図１〜図４を参照して、本発明の一実施形態に係るプラグコネクタ１００の構成について説明する。なお、以下の説明においては、図１に示すようにハウジング１０１の長さ方向（長手方向）をｘ軸方向、幅方向（短手方向）をｙ軸方向、高さ方向をｚ軸方向として定義し、これらｘ軸、ｙ軸、およびｚ軸の矢印の指す方向をプラス方向とする。
【００２０】
プラグコネクタ１００は、ハウジング１０１と、ハウジング１０１に取付けられたグランドコンタクト１１５およびシグナルコンタクト１１６とを備える。ハウジング１０１は、底壁１０２と、底壁１０２のｙ軸方向両端に配置され、互いに平行となるようにｘ軸に沿って延びる側壁１０３および側壁１０４とを備える。側壁１０３は、側壁１０４のｙ軸マイナス方向側に、側壁１０４から離隔して配置されている。
【００２１】
また、ハウジング１０１は、側壁１０３および側壁１０４のｘ軸マイナス方向の端部において側壁１０３および側壁１０４の双方に直交する横壁１０５と、側壁１０３および側壁１０４のｘ軸プラス方向の端部において側壁１０３および側壁１０４の双方に直交する横壁１０６とを備える。
【００２２】
また、ハウジング１０１は、側壁１０３および側壁１０４のｘ軸方向の中央部において、側壁１０３および側壁１０４の双方に直交する隔壁１０７を備える。隔壁１０７の中央部には、隔壁１０７をｚ軸方向に貫通する開口１０７ｈが形成されている。なお、この開口１０７ｈの機能については、後述する。
【００２３】
ハウジング１０１は、第１の嵌合部１０８と、第２の嵌合部１０９を備える。嵌合部１０８および１０９は、側壁１０３および側壁１０４を各々に含み、ｘ軸方向に互いに隣り合うように形成されている。具体的には、嵌合部１０８と嵌合部１０９とは、隔壁１０７によって、ハウジング１０１のｘ軸プラス方向側の領域とマイナス方向側の領域に、互いに隔離されている。
【００２４】
嵌合部１０８は、側壁１０３の内面１１０と、側壁１０４の内面１１１と、横壁１０６の内面１１２と、隔壁１０７のｘ軸プラス方向側の内面１１３とによって画定されている。横壁１０６の内面１１２には、グランドプレート取付部１２４（図２（ａ））が形成されている。グランドプレート取付部１２４は、ｙ軸方向に互いに離隔してｚ軸方向に延びる一対の突条によって構成されている。
【００２５】
グランドプレート取付部１２４のｚ軸マイナス方向の端部の位置には、横壁１０６をｘ軸方向に貫通する貫通孔１１７が形成されている。一方、隔壁１０７の内面１１３には、グランドプレート取付部１１８が形成されている。
【００２６】
グランドプレート取付部１１８は、グランドプレート取付部１２４と同様に、ｙ軸方向に互いに離隔してｚ軸方向に延びる一対の突条によって構成されている。また、一対のグランドプレート取付部１１８の間には、内面１１３から開口１０７ｈまでｘ軸方向に貫通する貫通孔１１９（図２（ａ））が形成されている。開口１０７ｈは、内面１１３のｚ軸方向の端部に配置されている。
【００２７】
側壁１０４の内面１１１には、内面１１１に沿って整列する複数のシグナルコンタクト取付溝１２０（図３）が形成されている。シグナルコンタクト取付溝１２０は、内面１１１から側壁１０４の内方（ｙ軸プラス方向）に凹むように設けられた、予め定められた幅を有する溝であって、内面１１１のｚ軸方向に亘って延在している。これらシグナルコンタクト取付溝１２０は、ｘ軸方向に略等間隔で整列するように形成されている。
【００２８】
本実施形態においては、計３０個のシグナルコンタクト取付溝１２０が、内面１１１に形成されている。なお、シグナルコンタクト取付溝１２０の各々の、ｚ軸マイナス方向の端部の位置には、側壁１０４をｙ軸方向に貫通する貫通孔１２１（図４）が形成されている。
【００２９】
側壁１０３の内面１１０には、ｘ軸方向沿って整列する複数のシグナルコンタクト取付溝１２２（図２（ａ）、図４）が形成されている。シグナルコンタクト取付溝１２２は、上記したシグナルコンタクト取付溝１２０と同様に、内面１１０から側壁１０３の内方（ｙ軸マイナス方向）に凹むように設けられた、予め定められた幅を有する溝であって、内面１１０のｚ軸方向に亘って延在している。
【００３０】
本実施形態においては、内面１１１と同様に、内面１１０にも計３０個のシグナルコンタクト取付溝１２２が、ｘ軸方向に略等間隔で整列するように形成されている。また、シグナルコンタクト取付溝１２２の各々の、ｚ軸マイナス方向の端部の位置には、側壁１０３をｙ軸方向に貫通する貫通孔１２３が形成されている。
【００３１】
一方、ハウジング１０１の嵌合部１０９も、上記した嵌合部１０８と同様の構成を有している。具体的には、嵌合部１０９は、側壁１０３の内面１３０と、側壁１０４の内面１３１と、横壁１０５の内面１３２と、隔壁１０７のｘ軸マイナス方向側の内面１３３とによって画定される。
【００３２】
横壁１０５の内面１３２には、グランドプレート取付部１３４が形成されている。グランドプレート取付部１３４は、上記したグランドプレート取付部１１８および１２４と同様に、ｙ軸方向に互いに離隔してｚ軸方向に延びる一対の突条によって構成されている。グランドプレート取付部１３４のｚ軸マイナス方向の端部の位置には、横壁１０５をｘ軸方向に貫通する貫通孔１３５（図２（ｅ））が形成されている。
【００３３】
一方、隔壁１０７の内面１３３には、グランドプレート取付部１３６が形成されている。グランドプレート取付部１３６は、グランドプレート取付部１３４と同様に、ｙ軸方向に互いに離隔してｚ軸方向に延びる一対の突条によって構成されている。また、一対のグランドプレート取付部１３６の間には、内面１３３から開口１０７ｈまで、隔壁１０７をｘ軸方向に貫通する貫通孔１３７（図２（ａ））が形成されている。
【００３４】
側壁１０４の内面１３１には、上記したシグナルコンタクト取付溝１２０と同様のシグナルコンタクト取付溝１４０が、ｘ軸方向に等間隔で整列するように、計３０個形成されている。また、シグナルコンタクト取付溝１４０の各々の、ｚ軸マイナス方向の端部の位置には、側壁１０４をｙ軸方向に貫通する貫通孔１４１（図２（ｃ））が形成されている。
【００３５】
一方、側壁１０３の内面１３０には、上記したシグナルコンタクト取付溝１２２と同様のシグナルコンタクト取付溝１４２（図２（ａ））が、ｘ軸方向に等間隔で整列するように、計３０個形成されている。また、シグナルコンタクト取付溝１４２の各々の、ｚ軸マイナス方向の端部の位置には、側壁１０３をｙ軸方向に貫通する貫通孔１４３が形成されている。
【００３６】
ハウジング１０１の横壁１０６の外面１０６ｓには、外面１０６ｓからｘ軸プラス方向へ突出する嵌合ガイド１４５が形成されている。嵌合ガイド１４５は、横壁１０６のｙ軸方向の中心線（すなわち、横壁１０６の幅方向の中心線）に対して非対称の形状を有して、ｚ軸方向（すなわち、横壁１０６の高さ方向）へ延長される突条によって構成されている。より具体的には、嵌合ガイド１４５のｙ軸方向の中心線Ｏ１（図２（ｄ））は、横壁１０６のｙ軸方向の中心線から、ｙ軸マイナス方向にずれている。
【００３７】
同様に、ハウジング１０１の横壁１０５の外面１０５ｓにも、外面１０５ｓからｘ軸マイナス方向に突出する嵌合ガイド１４６が形成されている。嵌合ガイド１４６は、横壁１０５のｙ軸方向の中心線に対して非対称の形状を有して、ｚ軸方向へ延長される突条によって構成されている。より具体的には、嵌合ガイド１４６のｙ軸方向の中心線Ｏ２（図２（ａ）、（ｅ））は、横壁１０５のｙ軸方向の中心線から、ｙ軸マイナス方向にずれている。
【００３８】
また、横壁１０６の外面１０６ｓのｚ軸マイナス方向の端部には、外面１０６ｓからｘ軸プラス方向に延出する縁部１４７が形成されている。縁部１４７は、嵌合ガイド１４５のｙ軸プラス方向側に配置されている。また、縁部１４７の下面には、ｚ軸マイナス方向に突出する突部１４８（図２）が形成されている。
【００３９】
同様に、横壁１０５の外面１０５ｓのｚ軸マイナス方向の端部には、外面１０５ｓからｘ軸マイナス方向に延出する縁部１４９（図２）が形成されている。縁部１４９は、嵌合ガイド１４６のｙ軸プラス方向側に配置されている。また、縁部１４９の下面には、ｚ軸マイナス方向に突出する突部１５０（図２）が形成されている。突部１４８および１５０は、ハウジング１０１のｙ軸方向の中心よりもｙ軸プラス方向側の位置に配置されている。なお、上記した突部１４８および１５０は、プラグコネクタ１００を基板に実装する場合に、プラグコネクタ１００の位置決め用に用いられる。
【００４０】
グランドコンタクト１１５は、側壁１０４および側壁１０３に対して平行に延設されている。具体的には、グランドコンタクト１１５は、嵌合部１０８内に配置された第１のグランドコンタクト１１５ａと、嵌合部１０９内に配置された第２のグランドコンタクト１１５ｂを含む。グランドコンタクト１１５ａは、図３に示すように、曲げ部分を有さない平板部材であって、ｘ軸に沿って延在する、ｙ軸方向視で矩形の平板部１５１ａと、平板部１５１ａからｘ軸プラス方向およびｘ軸マイナス方向にそれぞれ突出するリード部１５２ａおよび１５３ａとを含む。
【００４１】
平板部１５１ａは、ｘ軸方向から見た場合、ｚ軸プラス方向の端部に向かって先細状となっている（図４）。なお、本実施形態においては、平板部１５１ａのｚ軸マイナス方向の端面１５４ａのみが、プレス成形時の破断面となっており、平板部１５１ａのその他の面は、破断面ではないロール面となっている。
【００４２】
グランドコンタクト１１５ａのリード部１５２ａは、平板部１５１ａの、ｘ軸プラス方向且つｚ軸マイナス方向の端部からｘ軸プラス方向に延出している。一方、リード部１５３ａは、平板部１５１ａの、ｘ軸マイナス方向且つｚ軸マイナス方向の端部からｘ軸マイナス方向に延出している。なお、リード部１５２ａおよび１５３ａは、プラグコネクタ１００を基板に実装するときに、リフロー半田付け等が施される箇所となる。
【００４３】
図１および図２に示すように、グランドコンタクト１１５ａを嵌合部１０８内に取り付けた状態においては、平板部１５１ａのｘ軸プラス方向の端部は、横壁１０６の内面１１２に形成された一対のグランドプレート取付部１２４の間に挟み込まれて挟持される。これとともに、グランドコンタクト１１５ａのリード部１５２ａは、横壁１０６に形成された貫通孔１１７に挿通される。
【００４４】
一方、平板部１５１ａのｘ軸マイナス方向の端部は、隔壁１０７の内面１１３に形成された一対のグランドプレート取付部１２４の間に挟み込まれて挟持される。これとともに、グランドコンタクト１１５ａのリード部１５３ａは、隔壁１０７の内面１１３に形成された貫通孔１１９に挿通され、隔壁１０７に形成された開口１０７ｈ内に至る。
【００４５】
このため、開口１０７ｈ内をｚ軸方向から覗き込んだ場合、開口１０７ｈ内に延出したリード部１５３ａを視認することができる（図２（ａ））。これにより、使用者は、プラグコネクタ１００を基板に実装するときに、基板接続個所としてのリード部１５３ａの半田付けの状態を開口１０７ｈから確認することができる。
【００４６】
また、平板部１５１ａの端面１５４ａは、底壁１０２に設けられた孔１０２ｈを介して、ハウジングから外側に突出する（図４）。この端面１５４ａは、プラグコネクタ１００を基板に実装する場合に、リフロー半田付け等が施される箇所となる。
【００４７】
グランドコンタクト１１５ｂは、グランドコンタクト１１５ａと同じ構成を有している。具体的には、平板部１５１ｂと、平板部１５１ｂから突出するリード部１５２ｂおよび１５３ｂとを含む。また、平板部１５１ｂのｚ軸マイナス方向の端面１５４ｂのみが、プレス成形時の破断面となっており、平板部１５１ｂのその他の面は、破断面ではないロール面となっている。
【００４８】
図１および図２に示すように、グランドコンタクト１１５ｂを嵌合部１０９内に取り付けた状態においては、平板部１５１ｂのｘ軸マイナス方向の端部が、横壁１０５の内面１３２に形成されたグランドプレート取付部１３４によって挟持される。これとともに、グランドコンタクト１１５ｂのリード部１５３ｂは、横壁１０５に形成された貫通孔１３５に挿通される。
【００４９】
一方、平板部１５１ｂのｘ軸プラス方向の端部は、隔壁１０７の内面１３３に形成された一対のグランドプレート取付部１３６の間に挟み込まれて挟持される。これとともに、グランドコンタクト１１５ｂのリード部１５２ｂは、隔壁１０７の内面１３３に形成された貫通孔１３７に挿通され、開口１０７ｈ内に至る。
【００５０】
このため、使用者は、開口１０７ｈ内をｚ軸プラス方向側から覗き込んだ場合、開口１０７ｈ内に延出したリード部１５２ｂを視認することができる（図２（ａ））。これにより、使用者は、プラグコネクタ１００を基板に実装するときに、基板接続個所としてのリード部１５２ｂの半田付けの状態を確認することができる。
【００５１】
また、平板部１５１ｂの端面１５４ｂは、底壁１０２に設けられた孔１０２ｈを介して、ハウジングから外側に突出する。なお、この端面１５４ｂは、グランドコンタクト１１５ａの端面１５４ａと同様に、プラグコネクタ１００を基板に実装する場合に、半田付け等が施される箇所となる。
【００５２】
シグナルコンタクト１１６は、嵌合部１０８において、側壁１０４に沿って整列する第１列の複数のシグナルコンタクト１１６ａと、側壁１０３に沿って整列する第２列の複数のシグナルコンタクト１１６ｂとを含む。
【００５３】
また、シグナルコンタクト１１６は、嵌合部１０９において、側壁１０４に沿って整列する第１列の複数のシグナルコンタクト１１６ｃと、側壁１０３に沿って整列する第２列の複数のシグナルコンタクト１１６ｄとを含む。なお、本実施形態においては、シグナルコンタクト１１６は、それぞれ計３０個のシグナルコンタクト１１６ａ、１１６ｂ、１１６ｃ、および１１６ｄを含む。
【００５４】
本実施形態においては、これらシグナルコンタクト１１６の各々は、いずれも同じ形状を有する。以下、図５を参照して、シグナルコンタクト１１６の構成について説明する。なお、図５は、シグナルコンタクト１１６の外観図を示しており、図５（ａ）は、シグナルコンタクト１１６の斜視図を示す。
【００５５】
また、図５（ｂ）は、図５（ａ）に示すシグナルコンタクト１１６を、図５（ａ）中の矢印ｂから見た図を示す。また、図５（ｃ）は、図５（ｂ）に示すシグナルコンタクト１１６を、図５（ｂ）中の矢印ｃから見た図を示す。また、図５（ｄ）は、図５（ｂ）に示すシグナルコンタクト１１６を、図５（ｂ）中の矢印ｄから見た図を示す。
【００５６】
また、図５（ｅ）は、図５（ｂ）に示すシグナルコンタクト１１６を、図５（ｂ）中の矢印ｅから見た図を示す。なお、図５に関する以下の説明においては、図５（ｂ）の紙面下側を基端側、紙面上側を先端側とする。また、図５（ｂ）の紙面右側を表側、紙面左側を裏側とする。
【００５７】
シグナルコンタクト１１６は、略Ｌ字状に曲げられたピン部材であって、基端から先端まで直線状に延びる主部１１６０と、主部１１６０に対して交差する方向に折り曲げられたリード部１１６１とを備える。主部１１６０は、表面１１６２と裏面１１６３を有する断面矩形のピン部材であって、先端に向かうにつれて先細となっている。リード部１１６１は、主部１１６０の基端から裏側に延出している。
【００５８】
次に、図１〜図４を参照して、シグナルコンタクト１１６の取り付け構造について説明する。嵌合部１０８に取り付けられる第１列のシグナルコンタクト１１６ａの各々は、側壁１０４の内面１１１に形成されたシグナルコンタクト取付溝１２０の各々に固定される。
【００５９】
具体的には、図４に示すように、シグナルコンタクト１１６ａは、主部１１６０の裏面１１６３側をシグナルコンタクト取付溝１２０に圧入して固定される。したがって、シグナルコンタクト取付溝１２０のｘ軸方向の幅は、シグナルコンタクト１１６ａの主部１１６０のｘ軸方向の幅よりも僅かに小さくなるように、設定される。
【００６０】
このとき、シグナルコンタクト１１６ａの主部１１６０の裏面１１６３は、ｚ軸方向のほぼ全域に亘って、シグナルコンタクト取付溝１２０の底面１２０ｓと接触する。その一方で、主部１１６０の表面１１６２は、側壁１０４の内面１１１よりもグランドコンタクト１１５ａに近接するように（すなわち、ｙ軸マイナス方向側に）配置される。また、リード部１１６１は、側壁１０４に形成された貫通孔１２１を通して側壁１０４からｙ軸プラス方向に延出する。
【００６１】
同様に、嵌合部１０８に取り付けられる第２列のシグナルコンタクト１１６ｂの各々は、側壁１０３の内面１１０に形成されたシグナルコンタクト取付溝１２２の各々に主部１１６０の裏面１１６３側が圧入されて固定される。
【００６２】
このとき、シグナルコンタクト１１６ｂの主部１１６０の裏面１１６３は、ｚ軸方向のほぼ全域に亘って、シグナルコンタクト取付溝１２２の底面１２２ｓと接触する。その一方で、主部１１６０の表面１１６２は、側壁１０３の内面１１０よりもグランドコンタクト１１５ａに近接するように（すなわち、ｙ軸プラス方向側に）配置される。また、リード部１１６１は、側壁１０３に形成された貫通孔１２３を通して、側壁１０３からｙ軸マイナス方向に延出する。
【００６３】
同様にして、嵌合部１０９に取り付けられる第１列のシグナルコンタクト１１６ｃの各々は、側壁１０４の内面１３１に形成されたシグナルコンタクト取付溝１４０の各々に、主部１１６０の裏面１１６３側から圧入されて固定される。このとき、シグナルコンタクト１１６ｃのリード部１１６１は、側壁１０４に形成された貫通孔１４１を通って、側壁１０４からｙ軸プラス方向に延出する。
【００６４】
同様に、嵌合部１０９に取り付けられる第２列のシグナルコンタクト１１６ｄの各々は、側壁１０３の内面１３０に形成されたシグナルコンタクト取付溝１４２の各々に、主部１１６０の裏面１１６３側から圧入されて固定される。このとき、シグナルコンタクト１１６ｄのリード部１１６１は、側壁１０３に形成された貫通孔１４３を通って、側壁１０３からｙ軸マイナス方向に延出する。
【００６５】
なお、本実施形態においては、図４に示すように、グランドコンタクト１１５およびシグナルコンタクト１１６を安定して固定するために、嵌合部１０８および１０９内において、封入材１５５が底壁１０２上に導入されている。この封入材１５５によって、グランドコンタクト１１５およびシグナルコンタクト１１６は、ハウジング１０１に対して安定して固定される。
【００６６】
このように、本実施形態に係るプラグコネクタ１００においては、グランドコンタクト１１５ａが、第１列のシグナルコンタクト１１６ａおよび第２列のシグナルコンタクト１１６ｂの双方に対向し、第１列のシグナルコンタクト１１６ａと第２列のシグナルコンタクト１１６ｂとを互いに遮蔽する。また、グランドコンタクト１１５ｂが、第１列のシグナルコンタクト１１６ｃおよび第２列のシグナルコンタクト１１６ｄの双方に対向し、第１列のシグナルコンタクト１１６ｃと第２列のシグナルコンタクト１１６ｄとを互いに遮蔽する。
【００６７】
次に、図６〜図９を参照して、本発明の一実施形態に係るジャックコネクタ２００の構成について説明する。なお、以下の説明においては、図６に示すようにｘ軸、ｙ軸、およびｚ軸を定義し、これら軸の矢印の指す方向をプラス方向とする。ジャックコネクタ２００は、ハウジング２０１と、ハウジング２０１に取付けられたグランドコンタクト２１５およびシグナルコンタクト２１６とを備える。
【００６８】
ハウジング２０１は、底壁２０２と、底壁２０２のｙ軸方向両端に配置され、互いに平行となるようにｘ軸に沿って延びる外側壁２０３および外側壁２０４とを備える。外側壁２０３は、外側壁２０４のｙ軸マイナス方向側に、外側壁２０４から離隔して配置されている。
【００６９】
また、ハウジング２０１は、外側壁２０３および外側壁２０４のｘ軸マイナス方向の端部において、外側壁２０３および外側壁２０４の双方に直交する横壁２０５と、外側壁２０３および外側壁２０４のｘ軸プラス方向の端部において、外側壁２０３および外側壁２０４の双方に直交する横壁２０６とを備える。
【００７０】
ハウジング２０１の横壁２０５の内面２０７には、内面２０７から横壁２０５の内方（ｘ軸マイナス方向）に凹む嵌合溝２０８が形成されている。嵌合溝２０８は、横壁２０５のｙ軸方向の中心線（すなわち、横壁２０５の幅方向の中心線）に対して非対称の形状を有して、ｚ軸方向（すなわち、横壁２０５の高さ方向）へ延長される。
【００７１】
より具体的には、嵌合溝２０８のｙ軸方向の中心線Ｏ３（図７（ｅ）、図９）は、横壁２０５のｙ軸方向の中心線から、ｙ軸マイナス方向にずれている。なお、嵌合溝２０８のｚ軸プラス方向の端部には、ｚ軸プラス方向に向かうにつれてｙ軸方向に拡幅する面取部２０８ａが形成されている。なお、本実施形態においては、嵌合溝２０８は、ハウジング２０１をｚ軸方向に貫通しており、底壁２０２にｚ軸方向視で略矩形の開口２０８ｈ（図７（ａ））を形成している。
【００７２】
同様に、ハウジング２０１の横壁２０６の内面２０９には、内面２０９から横壁２０６の内方（ｘ軸プラス方向）に凹む嵌合溝２１０が形成されている。嵌合溝２１０は、横壁２０６のｙ軸方向の中心線（すなわち、横壁２０６の幅方向の中心線）に対して非対称の形状を有して、ｚ軸方向（すなわち、横壁２０６の高さ方向）へ延長される。より具体的には、嵌合溝２１０のｙ軸方向の中心線Ｏ４（図７（ｄ））は、横壁２０６のｙ軸方向の中心線から、ｙ軸マイナス方向にずれている。なお、本実施形態においては、嵌合溝２１０は、ハウジング２０１をｚ軸方向に貫通しており、底壁２０２に開口２１０ｈ（図７（ａ））を形成している。
【００７３】
外側壁２０３の内面２１９のｚ軸マイナス方向の端部には、後述する段差部２１９ｓ（図９）が形成されている。同様に、外側壁２０４の内面２２０のｚ軸マイナス方向の端部には、後述する段差部２２０ｓ（図９）が形成されている。
【００７４】
ハウジング２０１は、底壁２０２と、外側壁２０３および２０４と、横壁２０５および２０６によって画定される空間２１７内に、ｘ軸方向に延びる４つの内側壁２１１、２１２、２１３、および２１４を備える。内側壁２１１と内側壁２１２は、空間２１７のｘ軸方向の中心から見てｘ軸マイナス方向側の領域に配置されている。内側壁２１１および内側壁２１２は、外側壁２０４および外側壁２０３と平行となるように、互いに対向してｘ軸に沿って延びている。
【００７５】
図７および図９に示すように、内側壁２１１は、互いに平行にｘ軸に沿って延びる側面２１１ａおよび側面２１１ｂと、側面２１１ａおよび側面２１１ｂのｚ軸プラス方向の端縁と接続する上面２１１ｃと、側面２１１ａおよび側面２１１ｂのｘ軸プラス方向の端縁と接続する端面２１１ｄと、側面２１１ａおよび側面２１１ｂのｘ軸マイナス方向の端縁と接続する端面２１１ｅとを含む。
【００７６】
側面２１１ａは、外側壁２０４の内面２２０と平行に延在し、ハウジング２０１のｙ軸方向中心からｙ軸プラス方向にやや離隔した位置に配置される。側面２１１ｂは、外側壁２０４の内面２２０から、予め定められた距離だけｙ軸マイナス方向に離隔した位置で、内面２２０と対向してｘ軸方向に延在している。
【００７７】
上面２１１ｃは、底壁２０２の内面２２２と平行に延在し、外側壁２０４のｚ軸プラス方向の端面２０４ｓとほぼ同じｚ軸方向の位置（より具体的には、ｚ軸マイナス方向にやや離隔した位置）に配置されている。端面２１１ｄは、ｘ軸と直交する平面であり、ハウジング２０１のｘ軸方向の中央から、ｘ軸マイナス方向にやや離隔した位置に配置されている。また、端面２１１ｅは、横壁２０５の内面２０７から、ｘ軸プラス方向にやや離隔した位置に配置されている。
【００７８】
内側壁２１１の側面２１１ｂには、側面２１１ｂに沿って整列する複数のシグナルコンタクト取付溝２２１（図７（ａ）、図９）が形成されている。シグナルコンタクト取付溝２２１の各々は、内側壁２１１の側面２１１ｂから内側壁２１１の内方（ｙ軸マイナス方向）に凹むように形成され、底壁２０２から内側壁２１１の上面２１１ｃの近傍まで、ｚ軸方向に延びている。本実施形態においては、計３０個のシグナルコンタクト取付溝２２１が、ｘ軸方向に略等間隔で整列するように形成されている。
【００７９】
内側壁２１２は、内側壁２１１のｙ軸マイナス方向側に配置されており、ハウジング２０１のｙ軸方向中心を基準として、内側壁２１１と略対称な形状を有している。具体的には、内側壁２１２は、互いに平行にｘ軸に沿って延びる側面２１２ａおよび側面２１２ｂと、側面２１２ａおよび側面２１２ｂのｚ軸プラス方向の端縁と接続する上面２１２ｃと、側面２１２ａおよび側面２１２ｂのｘ軸プラス方向の端縁と接続する端面２１２ｄと、側面２１２ａおよび側面２１２ｂのｘ軸マイナス方向の端縁と接続する端面２１２ｅとを含む。
【００８０】
側面２１２ａは、外側壁２０３の内面２１９と平行に延在し、ハウジング２０１のｙ軸方向の中央からｙ軸マイナス方向にやや離隔した位置に配置される。側面２１２ｂは、外側壁２０３の内面２１９から、予め定められた距離だけｙ軸プラス方向に離隔した位置で、内面２１９と対向して延在している。
【００８１】
上面２１２ｃは、底壁２０２の内面２２２と平行に延在し、外側壁２０３のｚ軸プラス方向の端面２０３ｓとほぼ同じｚ軸方向の位置（より具体的には、ｚ軸マイナス方向にやや離隔した位置）に配置されている。端面２１２ｄは、内側壁２１１の端面２１１ｄと同一平面上に配置されている。また、端面２１２ｅは、内側壁２１１の端面２１１ｅと同一平面上に配置されている。
【００８２】
内側壁２１２の側面２１２ｂには、側面２１２ｂに沿って整列する複数のシグナルコンタクト取付溝２２３が形成されている。シグナルコンタクト取付溝２２３の各々は、内側壁２１２の側面２１２ｂから、内側壁２１２の内方（ｙ軸プラス方向）に凹むように形成され、底壁２０２から内側壁２１２の上面２１２ｃの近傍まで、ｚ軸方向に延びている。本実施形態においては、計３０個のシグナルコンタクト取付溝２２３が、ｘ軸方向に略等間隔で整列するように形成されている。
【００８３】
内側壁２１３および内側壁２１４は、空間２１７のｘ軸方向の中心から見て、ｘ軸プラス方向側の領域に配置されている。内側壁２１３は、上記した内側壁２１１と同様の構成を備えている。具体的には、内側壁２１３は、図７に示すように、側面２１３ａおよび側面２１３ｂと、上面２１３ｃと、端面２１３ｄおよび端面２１３ｅとを含む。また、内側壁２１３の側面２１３ｂには、側面２１３ｂに沿って整列する複数のシグナルコンタクト取付溝２２４が形成されている。
【００８４】
内側壁２１４は、上記した内側壁２１２と同様の構成を備えている。具体的には、内側壁２１４は、図７に示すように、側面２１４ａおよび側面２１４ｂと、上面２１４ｃと、端面２１４ｄおよび端面２１４ｅとを含む。また、内側壁２１４の側面２１４ｂには、側面２１４ｂに沿って整列する複数のシグナルコンタクト取付溝２２５が形成されている。
【００８５】
ハウジング２０１の外側壁２０３のｚ軸マイナス方向の端部には、ｘ軸方向の第１位置Ｐ１（図６）からｘ軸方向の第２位置Ｐ２に亘って延在する開口２５６が形成されている。同様に、ハウジング２０１の外側壁２０４のｚ軸マイナス方向の端部にも、ｘ軸方向の第１位置からｘ軸方向の第２位置に亘って延在する開口２５７が形成されている。また、底壁２０２の、内側壁２１１、２１２と内側壁２１３、２１４との間の領域には、矩形の開口２５８（図７（ａ））が形成されている。
【００８６】
底壁２０２の外面２１８（図７、図９）のｘ軸プラス方向の端部には、外面２１８からｚ軸マイナス方向に突出する突部２６０（図７）が形成されている。また、底壁２０２の外面２１８のｘ軸マイナス方向の端部には、外面２１８からｚ軸マイナス方向に突出する突部２５９が形成されている。突部２６０および２５９は、ハウジング２０１のｙ軸方向の中心よりもｙ軸プラス方向側の位置に配置されている。これら突部２６０および２５９は、ジャックコネクタ２００を基板に実装する場合に、ジャックコネクタ２００の位置決め用に用いられる。
【００８７】
グランドコンタクト２１５は、ハウジング２０１の内側壁２１１と内側壁２１２との間に配置された第１のグランドコンタクト２１５ａと、ハウジング２０１の内側壁２１３と内側壁２１４との間に配置された第２のグランドコンタクト２１５ｂとを含む。グランドコンタクト２１５ａおよび２１５ｂは、同じ形状を有する。
【００８８】
以下、図１０を参照して、グランドコンタクト２１５の構成について説明する。グランドコンタクト２１５は、ハウジング２０１に固定して支持される基部２１５０と、基部２１５０からｚ軸プラス方向に延出するばね腕部２１５１とを備える。
【００８９】
基部２１５０は、ｘ軸方向に沿って延在し、そのｘ軸プラス方向の端部およびｘ軸マイナス方向の端部にて、ハウジング２０１の内側壁２１１と内側壁２１２との間で挟持される。基部２１５０は、そのｘ軸プラス方向の端部からｘ軸プラス方向へ延出するリード部２１５２と、そのｘ軸マイナス方向の端部からｘ軸マイナス方向へ延出するリード部２１５３とを含む。
【００９０】
なお、本実施形態に係るグランドコンタクト２１５においては、基部のｚ軸マイナス方向の端面２１５０ａのみがプレス成形時の破断面となっており、グランドコンタクト２１５のその他の面は、破断面ではないロール面となっている。
【００９１】
ばね腕部２１５１は、基部２１５０からｙ軸プラス方向側に曲げて延長される第１のばね腕部２１５１ａと、基部２１５０からｙ軸マイナス方向側に曲げて延長される第２のばね腕部２１５１ｂとを含む。ばね腕部２１５１ａとばね腕部２１５１ｂとは、図１０（ｂ）に示すように、ｙ軸方向に互いに離隔している。
【００９２】
また、ばね腕部２１５１ａとばね腕部２１５１ｂとは、図１０（ａ）に示すように、ｘ軸方向に互いに離隔して、交互に配置されている。なお、本実施形態においては、１つのグランドコンタクト２１５に、ばね腕部２１５１ａおよび２１５１ｂが、それぞれ２個ずつ、ｘ軸方向に互いに交互に配列するように形成されている。
【００９３】
ばね腕部２１５１ａは、そのｚ軸プラス方向の端部に、ばね腕部２１５１ｂ側に向かって張り出すように湾曲する接点部２１５４を有する。一方、ばね腕部２１５１ｂは、そのｚ軸プラス方向の端部に、ばね腕部２１５１ａ側に向かって張り出すように湾曲する接点部２１５５を有する。
【００９４】
図７に示すように、グランドコンタクト２１５ａを、内側壁２１１と内側壁２１２との間に取り付けた状態においては、グランドコンタクト２１５ａのリード部２１５２は、底壁２０２の中央領域に形成された開口２５８内へ至る。したがって、使用者は、開口２５８をｚ軸方向から覗き込んだ場合、開口２５８内に延出したリード部２１５２を視認することができる。これにより、使用者は、ジャックコネクタ２００を基板に実装するときに、基板接続個所としてのリード部２１５２の半田付けの状態を確認することができる。
【００９５】
その一方で、グランドコンタクト２１５ａのリード部２１５３は、嵌合溝２０８によって底壁２０２に画定された開口２０８ｈ内に至る。したがって、使用者は、開口２０８ｈをｚ軸方向から覗き込んだ場合、開口２０８ｈ内に延出したリード部２１５３を視認することができる。これにより、使用者は、ジャックコネクタ２００を基板に実装するときに、基板接続個所としてのリード部２１５３の半田付けの状態を確認することができる。
【００９６】
図６〜図９を参照して、シグナルコンタクト２１６は、内側壁２１１の側面２１１ｂに沿って整列する第１列の複数のシグナルコンタクト２１６ａと、内側壁２１２の側面２１２ｂに沿って整列する第２列の複数のシグナルコンタクト２１６ｂとを含む。
【００９７】
また、シグナルコンタクト２１６は、内側壁２１３の側面２１３ｂに沿って整列する第１列の複数のシグナルコンタクト２１６ｃと、内側壁２１４の側面２１４ｂに沿って整列する第２列の複数のシグナルコンタクト２１６ｄとを含む。なお、本実施形態においては、シグナルコンタクト２１６は、それぞれ計３０個のシグナルコンタクト２１６ａ、２１６ｂ、２１６ｃ、および２１６ｄを含む。
【００９８】
本実施形態においては、これらシグナルコンタクト２１６の各々は、いずれも同じ形状を有する。以下、図１１を参照して、シグナルコンタクト２１６の構成について説明する。図１１は、シグナルコンタクト２１６の外観図を示しており、図１１（ａ）はシグナルコンタクト２１６の斜視図を示す。
【００９９】
また、図１１（ｂ）は、図１１（ａ）に示すシグナルコンタクト２１６を、図１１（ａ）中の矢印ｂから見た図を示す。また、図１１（ｃ）は、図１１（ｂ）に示すシグナルコンタクト２１６を、図１１（ｂ）中の矢印ｃから見た図を示す。また、図１１（ｄ）は、図１１（ｂ）に示すシグナルコンタクト２１６を、図１１（ｂ）中の矢印ｄから見た図を示す。
【０１００】
また、図１１（ｅ）は、図１１（ｂ）に示すシグナルコンタクトを、図１１（ｂ）中の矢印ｅから見た図を示す。なお、図１１に関する以下の説明においては、図１１（ｂ）の紙面下側を基端側、紙面上側を先端側とする。また、図１１（ｂ）の紙面右側を表側、紙面左側を裏側とする。
【０１０１】
シグナルコンタクト２１６は、基端から先端まで直線状に延びる基部２１６１と、基部２１６１の先端から表側へ延出するばね腕部２１６２と、基部２１６１の基端から表側へ延出するリード部２１６３とを有する。
【０１０２】
基部２１６１は、表面２１６５および裏面２１６６を含む断面矩形のピン部材であって、基端側に配置された第１部２１６１ａと、第１部２１６１ａの先端側に配置された第２部２１６１ｂとを含む。ここで、図１１（ｄ）に示すように、第１部２１６１ａは、第２部２１６１ｂよりも、幅が大きくなっている。
【０１０３】
ばね腕部２１６２は、基部２１６１の第２部２１６１ｂの先端に設けられている。ばね腕部２１６２は、図１１（ｂ）の紙面表側から見て略Ｕ字状となるように屈曲したピン部材であって、その先端部に、表側に向かって張り出すように湾曲する接点部２１６４を含む。接点部２１６４は、プレス成形時の破断面ではないロール面である。なお、ばね腕部２１６２は、図１１（ｄ）に示す方向から見て、第１部２１６１ａよりも小さい幅を有している。
【０１０４】
ばね腕部２１６２は、接点部２１６４に対して図１１（ｂ）中の矢印ｃに示す方向に力を受けると、方向ｃに向かって弾性変形する。この変形に伴って、ばね腕部２１６２は、接点部２１６４を図１１（ｂ）中の矢印ｄの方向に押し返すように、弾性応力を生じさせる。
【０１０５】
次に、図６〜図９を参照して、シグナルコンタクト２１６の取り付け構造について説明する。内側壁２１１の側面２１１ｂに沿って整列する第１列のシグナルコンタクト２１６ａの各々は、側面２１１ｂに形成されたシグナルコンタクト取付溝２２１の各々に固定される。具体的には、図９に示すように、シグナルコンタクト２１６ａは、基部２１６１の裏面２１６６側をシグナルコンタクト取付溝２２１に圧入して固定される。
【０１０６】
ここで、シグナルコンタクト取付溝２２１のｘ軸方向の幅は、基部２１６１の第１部２１６１ａの幅よりも僅かに小さく、且つ、基部２１６１の第２部２１６１ｂおよびばね腕部２１６２の幅よりも大きくなるように設定される。このため、シグナルコンタクト２１６ａをシグナルコンタクト取付溝２２１内に圧入した場合、基部２１６１の第１部２１６１ａがシグナルコンタクト取付溝２２１の両側の壁面によって挟持されて固定される。
【０１０７】
その一方で、基部２１６１の第２部２１６１ｂ、および第２部２１６１ｂに接続されたばね腕部２１６２は、シグナルコンタクト取付溝２２１よりもｘ軸方向の幅が小さいため、シグナルコンタクト取付溝２２１のｘ軸方向両側の壁面から隔離される。したがって、第２部２１６１ｂおよびばね腕部２１６２は、シグナルコンタクト２１６ａをシグナルコンタクト取付溝２２１内に圧入した場合においても、ｙ軸方向に自由に弾性変形することができる。
【０１０８】
シグナルコンタクト２１６ａがシグナルコンタクト取付溝２２１内に固定された状態においては、シグナルコンタクト２１６ａの基部２１６１の裏面２１６６が、ｚ軸方向のほぼ全域に亘って、シグナルコンタクト取付溝２２１の底面２２１ｓと接触する。
【０１０９】
その一方で、シグナルコンタクト２１６ａのばね腕部２１６２に設けられた接点部２１６４は、内側壁２１１の側面２１１ｂよりも、ｙ軸プラス方向に突出している。また、シグナルコンタクト２１６ａのリード部２１６３は、外側壁２０４に形成された開口２５７を介して、外側壁２０４からｙ軸プラス方向に延出する。
【０１１０】
同様に、内側壁２１２の側面２１２ｂに沿って整列する第２列のシグナルコンタクト２１６ｂの各々は、側面２１２ｂに形成されたシグナルコンタクト取付溝２２３の各々に、基部２１６１の裏面２１６６側から圧入されて固定される。
【０１１１】
このとき、シグナルコンタクト２１６ｂの第２部２１６１ｂおよびばね腕部２１６２は、ｙ軸方向に自由に弾性変形することができる。この状態においては、シグナルコンタクト２１６ｂの基部２１６１の裏面２１６６が、ｚ軸方向のほぼ全域に亘って、シグナルコンタクト取付溝２２３の底面２２３ｓと接触する。
【０１１２】
その一方で、シグナルコンタクト２１６ｂのばね腕部２１６２に設けられた接点部２１６４は、内側壁２１２の側面２１２ｂよりも、ｙ軸マイナス方向に突出している。また、シグナルコンタクト２１６ｂのリード部２１６３は、外側壁２０３に形成された開口２５６を介して、外側壁２０３からｙ軸マイナス方向に延出する。
【０１１３】
同様にして、内側壁２１３の側面２１３ｂに沿って整列する第１列のシグナルコンタクト２１６ｃの各々は、側面２１３ｂに形成されたシグナルコンタクト取付溝２２４の各々に、基部２１６１の裏面２１６６側から圧入されて固定される。このとき、シグナルコンタクト２１６ｃのリード部２１６３は、外側壁２０４に形成された開口２５７を通って、外側壁２０４からｙ軸プラス方向に延出する。
【０１１４】
同様に、内側壁２１４の側面２１４ｂに沿って整列する第２列のシグナルコンタクト２１６ｄの各々は、側面２１４ｂに形成されたシグナルコンタクト取付溝２２５の各々に、基部２１６１の裏面２１６６側から圧入されて固定される。このとき、シグナルコンタクト２１６ｄのリード部２１６３は、外側壁２０３に形成された開口２５６を通って、外側壁２０３からｙ軸マイナス方向に延出する。
【０１１５】
上記のように、内側壁２１１および２１２は、接続相手コネクタと電気的に接続する要素であるグランドコンタクト２１５ａと、シグナルコンタクト２１６ａおよび２１６ｂとを、ともに支持している。したがって、内側壁２１１および２１２は、第１の嵌合部２６１を構成する。
【０１１６】
また、内側壁２１３および２１４は、接続相手コネクタと電気的に接続する要素であるグランドコンタクト２１５ｂと、シグナルコンタクト２１６ｃおよび２１６ｄとを、ともに支持する。したがって、内側壁２１３および２１４は、第２の嵌合部２６２を構成する。
【０１１７】
次に、図１２を参照して、本発明の一実施形態に係るコネクタ装置３００について説明する。なお、図１２は、コネクタ装置３００を、図２の線ＩＶ−ＩＶ（または、図７の線ＩＩＩＶ−ＩＩＩＶ）に相当する線で切断した断面図を示す。コネクタ装置３００は、上記したプラグコネクタ１００およびジャックコネクタ２００を備える。
【０１１８】
なお、図１２に示す状態においては、プラグコネクタ１００の嵌合部１０８を、ジャックコネクタ２００の嵌合部２６１に、プラグコネクタ１００の嵌合部１０９を、ジャックコネクタ２００の嵌合部２６２に、それぞれ嵌合させている。また、図１２に示す状態においては、プラグコネクタ１００を基板３０１に、ジャックコネクタ２００を基板３０２に、それぞれ実装している。
【０１１９】
図１２に示すようにプラグコネクタ１００をジャックコネクタ２００に接続した状態においては、プラグコネクタ１００の嵌合ガイド１４５（図２）が、ジャックコネクタ２００の嵌合溝２０８（図７）内に嵌め込まれ、且つ、プラグコネクタ１００の嵌合ガイド１４６が、ジャックコネクタ２００の嵌合溝２１０に嵌め込まれている。
【０１２０】
上記したように、嵌合ガイド１４５、１４６、および嵌合溝２０８、２１０は、それぞれ、横壁のｙ軸方向の中心に対して非対称の形状を有している。これにより、プラグコネクタ１００をジャックコネクタ２００に接続するときの、ジャックコネクタ２００に対するプラグコネクタ１００の向きが、一義的に決定されることになる。したがって、プラグコネクタ１００をジャックコネクタ２００に接続する作業を容易とすることができる。
【０１２１】
プラグコネクタ１００をジャックコネクタ２００に接続すると、プラグコネクタ１００の側壁１０４は、ジャックコネクタ２００の外側壁２０３の内側に入り込み、側壁１０４の先端部が、外側壁２０３の内面２１９に形成された段差部２１９ｓに当接する。一方、プラグコネクタ１００の側壁１０３は、ジャックコネクタ２００の外側壁２０４の内側に入り込み、側壁１０３の先端部が、外側壁２０４の内面２２０に形成された段差部２２０ｓに当接する。これにより、ジャックコネクタ２００に対するプラグコネクタ１００のｚ軸方向への移動が規制される。
【０１２２】
プラグコネクタ１００のグランドコンタクト１１５ａは、ジャックコネクタ２００のグランドコンタクト２１５ａのばね腕部２１５１ａと、ばね腕部２１５１ｂとの間に入り込む。そして、ばね腕部２１５１ａの接点部２１５４が、プラグコネクタ１００のグランドコンタクト１１５ａのｙ軸方向一方の側面と、接点Ｐ５にて導通接触する。
【０１２３】
また、ばね腕部２１５１ｂの接点部２１５５は、プラグコネクタ１００のグランドコンタクト１１５ａのｙ軸方向他方の側面と、接点Ｐ６にて導通接触する。このとき、ばね腕部２１５１ａおよび２１５１ｂは、外方に弾性変形しているので、グランドコンタクト１１５ａを、接点Ｐ５およびＰ６にて両側から挟み込む。
【０１２４】
一方、ジャックコネクタ２００のシグナルコンタクト２１６ａは、プラグコネクタ１００のシグナルコンタクト１１６ｂと導通接触している。具体的には、シグナルコンタクト２１６ａのばね腕部２１６２に設けられた接点部２１６４が、プラグコネクタ１００のシグナルコンタクト１１６ｂの表面１１６２に対して、接点Ｐ３にて接触している。このとき、シグナルコンタクト２１６ａのばね腕部２１６２は、内方に弾性変形しているので、その応力として、シグナルコンタクト１１６ｂの表面１１６２を、接点Ｐ３にて押圧する。
【０１２５】
同様に、ジャックコネクタ２００のシグナルコンタクト２１６ｂは、プラグコネクタ１００のシグナルコンタクト１１６ａと導通接触している。具体的には、シグナルコンタクト２１６ｂのばね腕部２１６２に設けられた接点部２１６４が、プラグコネクタ１００のシグナルコンタクト１１６ａの表面１１６２と、接点Ｐ４にて導通接触している。このとき、シグナルコンタクト２１６ｂのばね腕部２１６２は、内方に弾性変形しているので、その応力として、シグナルコンタクト１１６ａの表面１１６２を、接点Ｐ４にて押圧する。
【０１２６】
このように、本実施形態においては、プラグコネクタ１００をジャックコネクタ２００に接続した場合、ジャックコネクタ２００のシグナルコンタクト２１６が弾性変形し、プラグコネクタ１００のシグナルコンタクト１１６を押圧する。その一方で、プラグコネクタ１００のシグナルコンタクト１１６は、弾性変形することなく、側壁に安定して固定される。
【０１２７】
この構成によれば、シグナルコンタクトのうち、弾性変形を許容するための空間を要するのは、ジャックコネクタ２００のシグナルコンタクト２１６（ばね腕部２１６２）のみとなり、プラグコネクタ１００のシグナルコンタクト１１６に関しては、弾性変形のための空間を設ける必要がない。このため、プラグコネクタ１００のシグナルコンタクト１１６の構造、および、シグナルコンタクト１１６を側壁に取り付けるための取付構造を、よりコンパクトにすることができる。
【０１２８】
したがって、ジャックコネクタ２００のシグナルコンタクト２１６とプラグコネクタ１００のシグナルコンタクト１１６との間の安定的な導通接触を保証しつつ、コネクタ装置３００を効果的に小型化することができる。
【０１２９】
また、本実施形態によれば、ジャックコネクタ２００のグランドコンタクト２１５の、ばね腕部２１５１ａとばね腕部２１５１ｂとは、ｘ軸方向に互いに離隔して交互に配置されている。この構成によれば、ジャックコネクタ２００のグランドコンタクト２１５を、プラグコネクタ１００のグランドコンタクト１１５の両側面上の接点Ｐ５、Ｐ６にて接触させることができるとともに、グランドコンタクト１１５のｙ軸方向の幅をより小さくすることができる。これにより、ジャックコネクタ２００を小型化することができる。
【０１３０】
また、本実施形態によれば、プラグコネクタ１００をジャックコネクタ２００に接続した場合、プラグコネクタ１００のグランドコンタクト１１５によって、第１列のシグナルコンタクト１１６ａ、２１６ａと、第２列のシグナルコンタクト１１６ｂ、２１６ａとを、遮蔽することができる。これにより、第１列のシグナルコンタクトと第２列のシグナルコンタクトとの間のクロストークを低減することができる。このため、本実施形態に係るコネクタ装置３００を、高速伝送用の回路基板に有利に適用することができる。
【０１３１】
また、本実施形態によれば、ジャックコネクタ２００において、第１列のシグナルコンタクト２１６ａとグランドコンタクト２１５ａとは、内側壁２１１によって、互いに隔離され、且つ、第２列のシグナルコンタクト２１６ｂとグランドコンタクト２１５ａとは、内側壁２１２によって、互いに隔離されている。
【０１３２】
これにより、シグナルコンタクト２１６とグランドコンタクト２１５との間の絶縁を保証することができるとともに、第１列のシグナルコンタクト２１６ａと第２列のシグナルコンタクト２１６ｂとの間のクロストークを低減することができる。
【０１３３】
また、本実施形態によれば、ジャックコネクタ２００のシグナルコンタクト２１６の各々は、ハウジング２０１の内側壁２１１、２１２、２１３、２１４に形成されたシグナルコンタクト取付溝２２１、２２３、２２４、２２５の各々に圧入することによって、ハウジング２０１に固定されている。これにより、シグナルコンタクト２１６をハウジング２０１に容易に取り付けることができるとともに、隣り合うシグナルコンタクト２１６間の絶縁を保証することができる。
【０１３４】
また、本実施形態によれば、プラグコネクタ１００のグランドコンタクト１１５と、ジャックコネクタ２００のグランドコンタクト２１５とが接触する接点Ｐ５、Ｐ６は、プレス成形時の破断面ではないロール面に設けられている。この構成によれば、プラグコネクタ１００をジャックコネクタ２００に繰り返して挿抜した場合に、グランドコンタクト１１５およびグランドコンタクト２１５の接触面が損傷してしまうのを防止することができる。これにより、コネクタ装置３００の挿抜寿命を延ばすことができる。
【０１３５】
同様に、プラグコネクタ１００のシグナルコンタクト１１６と、ジャックコネクタ２００のシグナルコンタクト２１６とが接触する接点Ｐ３、Ｐ４は、プレス成形時の破断面ではないロール面に設けられている。この構成によれば、シグナルコンタクト１１６およびシグナルコンタクト２１６の接触面が損傷してしまうのを防止することができので、コネクタ装置３００の挿抜寿命を延ばすことができる。
【０１３６】
次に、図１３を参照して、本発明の他の実施形態に係る、ジャックコネクタのグランドコンタクトついて説明する。なお、図１３に示すグランドコンタクトついて、図１０と同じｘｙｚ座標を用いて説明する。まず、図１３（ａ）に示すグランドコンタクト３１５について説明する。
【０１３７】
グランドコンタクト３１５は、上記した実施形態と同様に、ジャックコネクタ２００のハウジング２０１に固定して支持される。グランドコンタクト３１５は、ｘ軸方向に沿って延在する基部３１５０と、基部３１５０からｚ軸プラス方向に延出するばね腕部３１５１とを備える。
【０１３８】
ばね腕部３１５１は、基部３１５０からｙ軸プラス方向側に曲げて延長される第１のばね腕部３１５１ａと、基部３１５０からｙ軸マイナス方向側に曲げて延長される第２のばね腕部３１５１ｂとを含む。
【０１３９】
本実施形態においては、１つのグランドコンタクト３１５に、計４個のばね腕部３１５１ａと、計５個のばね腕部３１５１ｂとが、ｘ軸方向に互いに交互に配列するように設けられている。なお、ばね腕部３１５１ａの各々のｘ軸方向の長さは、ばね腕部３１５１ｂの各々のｘ軸方向の長さよりも長くなるように設定されている。
【０１４０】
また、ばね腕部３１５１ａおよびばね腕部３１５１ｂのｘ軸方向の長さは、図１０に示すグランドコンタクト２１５のばね腕部２１５１よりも短くなっており、且つ、より多くの個数のばね腕部３１５１ａおよびばね腕部３１５１ｂが設けられている。
【０１４１】
このように、ばね腕部３１５１ａおよびばね腕部３１５１ｂの個数を増加させ、接続相手プラグコネクタのグランドコンタクトとの接点Ｐ５、Ｐ６の数を増加させることによって、より安定した信号伝送を実現することができる。
【０１４２】
次に、図１３（ｂ）に示すグランドコンタクト４１５について説明する。グランドコンタクト４１５は、第１のグランドコンタクト４１５１と、第２のグランドコンタクト４１５２とを含む。これら２つのグランドコンタクト４１５１および４１５２は、同じ形状を有し、ジャックコネクタ２００の１つの嵌合部２６１（または２６２）に、ｘ軸方向へ互いに離隔して配置される。または、グランドコンタクト４１５１および４１５２の各々を、嵌合部２６１（または２６２）よりも短いｘ軸方向長さ（例えば、１／２の長さ）を有する嵌合部に取り付けることもできる。
【０１４３】
グランドコンタクト４１５１および４１５２の各々は、基部４１５０およびばね腕部４１５３を備え、ばね腕部４１５３は、第１のばね腕部４１５３ａおよび第２のばね腕部４１５３ｂを含む。なお、ばね腕部４１５３ａおよび４１５３ｂは、図１３（ａ）に示すばね腕部３１５１ａおよび３１５１ｂと同様の形状を有する。
【０１４４】
次に、図１３（ｃ）に示すグランドコンタクト５１５について説明する。グランドコンタクト５１５は、第１のグランドコンタクト５１５１、第２のグランドコンタクト５１５２、第３のグランドコンタクト５１５３、および第４のグランドコンタクト５１５４を含む。
【０１４５】
これら４つのグランドコンタクト５１５１、５１５２、５１５３、および５１５４は、いずれも同じ形状を有し、ジャックコネクタ２００の１つの嵌合部２６１（または２６２）に、ｘ軸方向へ互いに離隔して配置される。または、グランドコンタクト５１５１、５１５２、５１５３、および５１５４の各々を、嵌合部２６１（または２６２）よりも短いｘ軸方向長さ（例えば１／４の長さ）を有する嵌合部に取り付けることもできる。
【０１４６】
グランドコンタクト５１５１、５１５２、５１５３、および５１５４の各々は、基部５１５０およびばね腕部５１５５を備え、ばね腕部５１５５は、第１のばね腕部５１５５ａおよび第２のばね腕部５１５５ｂを含む。
【０１４７】
本実施形態においては、グランドコンタクト５１５１、５１５２、５１５３、および５１５４の各々に、１個のばね腕部５１５５ａと、計２個のばね腕部５１５５ｂとが、ｘ軸方向に互いに交互に配列するように設けられている。
【０１４８】
なお、上記した実施形態においては、プラグコネクタが２つの嵌合部を、ジャックコネクタが２つの嵌合部を、それぞれ備えている場合について説明した。しかしながら、これに限らず、プラグコネクタは、１つ、または３つ以上の嵌合部を備えていてもよい。同様に、ジャックコネクタは、１つ、または３つ以上の嵌合部を備えていてもよい。
【０１４９】
また、上記した実施形態においては、嵌合部および嵌合部の各々に、それぞれ、計３０個ずつの第１列のシグナルコンタクトおよび第２列のシグナルコンタクトが配設された場合について述べた。しかしながら。これに限らず、如何なる数のシグナルコンタクトが、１つの嵌合部または嵌合部に配設されてもよい。
【０１５０】
また、上記した実施形態においては、プラグコネクタおよびジャックコネクタのシグナルコンタクトの各々を、ピン状部材によって構成されている場合について述べた。しかしながら、これに限らず、プラグコネクタおよびジャックコネクタのシグナルコンタクトの各々は、例えば、ｘ軸方向に延在する板状部材によって構成されてもよい。
【０１５１】
また、上記した実施形態においては、プラグコネクタのシグナルコンタクトの各々は、側壁の内面に形成されたシグナルコンタクト取付溝内に圧入して固定する場合について述べた、しかしながら、これに限らず、プラグコネクタのシグナルコンタクトの各々は、例えば、側壁の内面に接着されてもよいし、または、他の如何なる方法によって固定されてもよい。
【０１５２】
また、上記した実施形態においては、ジャックコネクタのシグナルコンタクトの各々が、ハウジングの内側壁の、外壁面に対向する側面に形成されたシグナルコンタクト取付溝に圧入されて固定される場合について述べた。しかしながら、これに限らず、ジャックコネクタのシグナルコンタクトの各々は、例えば、内側壁の側面に接着されてもよいし、または、他の如何なる方法によって固定されてもよい。
【０１５３】
したがって、ジャックコネクタの内側壁は、必ずしもシグナルコンタクト取付溝を有する必要はなく、例えば、ジャックコネクタのグランドコンタクトとシグナルコンタクトとを隔てるようにｘ軸方向に延びる板状部材であってもよい。
【０１５４】
また、上記した実施形態においては、嵌合ガイドをプラグコネクタのハウジングに設け、嵌合溝をジャックコネクタのハウジングに設けた場合について述べた。しかしながら、これに限らず、嵌合溝をプラグコネクタのハウジングに設け、嵌合ガイドをジャックコネクタのハウジングに設けてもよい。
【０１５５】
以上、発明の実施形態を通じて本発明を説明したが、上述の実施形態は、特許請求の範囲に係る発明を限定するものではない。また、実施形態の中で説明されている特徴の組み合わせの全てが、発明の解決手段に必須であるとは限らない。さらに、上述の実施形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【０１５６】
１００    プラグコネクタ
１０１    ハウジング
１１５    グランドコンタクト
１１６    シグナルコンタクト
２００    ジャックコネクタ
２０１    ハウジング
２１５    グランドコンタクト
２１６    シグナルコンタクト
３００    コネクタ装置
【図１】
2015038831.tif 000003
【図２】
2015038831.tif 000004
【図３】
2015038831.tif 000005
【図４】
2015038831.tif 000006
【図５】
2015038831.tif 000007
【図６】
2015038831.tif 000008
【図７】
2015038831.tif 000009
【図８】
2015038831.tif 000010
【図９】
2015038831.tif 000011
【図１０】
2015038831.tif 000012
【図１１】
2015038831.tif 000013
【図１２】
2015038831.tif 000014
【図１３】
2015038831.tif 000015
【手続補正書】
【提出日】平成26年10月20日(2014.10.20)
【手続補正１】
【補正対象書類名】明細書
【補正対象項目名】０００３
【補正方法】変更
【補正の内容】
【０００３】
【特許文献１】実公昭４９−６５４３号公報
【特許文献２】特開平５−１３５８２６号公報
【特許文献３】特開平８−２４１７６２号公報